(57)【要約】      （修正有）【課題】基板をことさらに大きくしなくとも転倒を防止可能なポータブルトイレを提供する。【解決手段】任意の箇所に移設可能とされたポータブルトイレにおいて、床面に載置される基板２０と、基板の上面に設置されるトイレ本体１０とを備え、基板にはトイレ本体の脚部１１を緩挿可能な円筒形部材２１と共に、基板に重量を与える錘３０を備えて構成した。また、基板上に直角に屈曲した板状の支持部材を設け、支持部材により平板状の錘を支持するよう構成した。【選択図】図１
0003193443.tif 000002
【実用新案登録請求の範囲】
【請求項１】
任意の箇所に移設可能とされたポータブルトイレにおいて、床面に載置される基板（２０）と、該基板（２０）の上面に設置されるトイレ本体（１０）とを備え、前記基板（２０）にはトイレ本体（１０）の脚部（１１）を緩挿可能な円筒形部材（２１）と共に、基板（２０）に重量を与える錘（３０）を備えたことを特徴とするポータブルトイレ。
【請求項２】
基板（２０）上に直角に屈曲した板状の支持部材（２３）を設け、当該支持部材（２３）により平板状の錘（３０）を支持するよう設けた請求項１に記載のポータブルトイレ。
【考案の詳細な説明】
【技術分野】
【０００１】
本考案は主として、ベッドのそばに設置されたトイレへの移行が可能な患者に用いるポータブルトイレに関し、より詳しくは利用者の転倒を防ぐことが可能なポータブルトイレに関する。
【背景技術】
【０００２】
ポータブルトイレとは、ベッドから離れることはできるがトイレまでいけない、或いはトイレまでの移動が不安定な人のために、主として寝室で使用する便器である。
【０００３】
高齢者や身障者がポータブルトイレに移乗したり或いはポータブルトイレから離れる際に手摺に体重をかけると、それが偏心荷重となってポータブルトイレが傾き、転倒するおそれがある。この問題を解消するためにポータブルトイレ自体の重量を大きくすることも考えられるが、それでは移設可能というポータブルトイレの利点が大きく損なわれる。
【０００４】
上記不都合を解消すべく特許文献１、２にはポータブルトイレ本体よりも大きい面積を有する基板上にポータブルトイレを設置する発明が開示されている。また、特許文献３には、ポータブルトイレの前方支持点からポータブルトイレの全体の重心位置までの範囲に、肘掛の支持部を配設することで、利用者が体重をかけた際の転倒を防止可能としたポータブルトイレが開示されている。
【先行技術文献】
【特許文献】
【０００５】
【特許文献１】実開昭５９−６８４９８号公報
【特許文献２】特開２００８−９２９７２号公報
【特許文献３】特開平１０−８０３７９号公報
【考案の概要】
【考案が解決しようとする課題】
【０００６】
先述の特許文献１、２に開示されるポータブルトイレ本体よりも大きい面積を有する基板上にポータブルトイレを設置するという方法では、基板をかなり大きくしないと転倒を防止し得ないという難点を有する。係る不都合を回避すべく特許文献２記載のポータブルトイレは、基板をベッドと連結する、即ちベッドの荷重を利用して基板が持ち上がることを防ぐという手段を実施形態として採用している。
【０００７】
また、特許文献３記載の発明は体重が前後方向にかかる場合には転倒を効果的に抑制できるが、左右方向に不慮の体重がかかると転倒を防止し得ないという難点を有する。
【０００８】
そこで本考案は、基板をことさらに大きくしなくとも転倒を防止可能なポータブルトイレを提供することを目的とする。
【課題を解決するための手段】
【０００９】
上記の目的を達成する本考案の構成は以下の通りである。
【００１０】
（１）  請求項１に記載の考案は、任意の箇所に移設可能とされたポータブルトイレにおいて、床面に載置される基板と、該基板の上面に設置されるトイレ本体とを備え、前記基板にはトイレ本体の脚部を緩挿可能な円筒形部材と共に、基板に重量を与える錘を備えて構成した。
【００１１】
（２）請求項２に記載の考案は、請求項１記載のポータブルトイレにおいて、基板上に直角に屈曲した板状の支持部材を設け、当該支持部材により平板状の錘を支持するよう構成した。
【考案の効果】
【００１２】
上記のように構成される本考案がいかに作用して課題を解決するかを図面を参照して概説する。
【００１３】
図１は本考案に係るポータブルトイレを示す斜視図である。トイレ本体１０の脚部１１・・は、それぞれ基板２０に設けた円筒形部材２１・・に緩挿されている。しかも、基板２０上には錘30が載置されており、基板２０は床面に相当の重量で押さえこまれることになる。ゆえに、基板２０の面積を大きくしなくともトイレ本体１０をしっかり固定することが可能となり、転倒を防止することが可能となるのである。
【００１４】
かように本考案にかかるポータブルトイレは、トイレ本体の転倒防止のため、基板の面積を大きくしたり、或いは基板をベッドで固定したり、また、トイレ本体自体の重量を大きくしたり、更には特殊な脚を設けるといった従来例の解決方法を採用する必要がない。
【００１５】
したがってトイレ本体を軽量に構成することが可能になり、基板とトイレ本体とが着脱自在であるため、ポータブルトイレの移設が容易になるという効果も有する。
【００１６】
また、錘３０を図２に示すように分割した平板とすれば、一枚の錘３０の重量はそれほど大きくならず、例えば女性であっても容易に持ち運びが可能なものとすることが可能となる。
【００１７】
また、トイレ本体１０の脚部１１は、基板２０に設けた円筒形部材２１内に緩挿自在に設けられていることから、トイレ本体１０と基板２０は容易に着脱自在となり、別個に運搬することが可能となり、介護者等の利便性の向上が図られるものである。
【図面の簡単な説明】
【００１８】
【図１】本考案の斜視図
【図２】基板に錘を載置する過程を示す説明図
【図３】基板の斜視図
【図４】基板の平面図
【図５】基板の正面図
【考案を実施するための形態】
【００１９】
以下、本考案の実施形態について図面を用いて説明する。なお、本考案の実施の形態は、下記の実施形態に何ら限定されることはなく、本考案の技術的範囲に属する限り種々の形態を採りうる。
【００２０】
図１に示すように本発明に係るポータブルトイレは、基板２０とトイレ本体１０より成るものである。基板２０は床面への投影面積がトイレ本体１０と同程度で足りる。この基板２０は樹脂製が好ましいが、意匠性を考慮して木製あるいは強度を考慮して金属製としてもよい。
【００２１】
トイレ本体１０は４本のパイプ状の脚部１１を備え、これら脚部１１を基板２０に設けた円筒形部材２１に上方から緩挿することで支持する。
【００２２】
トイレ本体１０は、汚物受け１２と、その上面に設けられる便座１３と、便座１３の上に開閉自在に取付られる便蓋１４とからなる。また、背面には上方に延設された背もたれ部１５を設けてあり、背もたれ部１５の中途には前方に延びる肘掛１６が左右一対設けられている。
【００２３】
図４は基板２０の平面図であり、図５は同正面図である。
【００２４】
基板２０は略方形の板材であり、その正面側は凹状の切欠き部２２が設けてある。使用者の利用時の邪魔にならないようにするためである。
【００２５】
基板２０には四隅に円筒形部材２１が立設してある。この円筒形部材２１は、その内部にトイレ本体１０の脚部１１を緩挿可能な形状に設けられる。
【００２６】
基板２０上には直角に屈曲した板状の支持部材２３が、板状の錘３０の四隅を支持可能な形態で４個立設されている。
【００２７】
錘３０は方形の鉄板で形成される。錘３０は一枚が１５Ｋｇ程度のものを２枚使用すれば、転倒防止に十分なものである。図２は錘３０を基板２０に装備する過程を示すものであり、図３に示されるように支持部材２３で四隅を支持され基板２０上に載置されるものである。
【符号の説明】
【００２８】
１０・・トイレ本体      １１・・脚部      １２・・汚物受け
１３・・便座      １４・・便蓋      １５・・背もたれ部
１６・・肘掛
２０・・基板      ２１・・円筒形部材      ２２・・切欠き部
２３・・支持部材
３０・・錘
【図１】
0003193443.tif 000003
【図２】
0003193443.tif 000004
【図３】
0003193443.tif 000005
【図４】
0003193443.tif 000006
【図５】
0003193443.tif 000007